(57)【要約】【課題】  使用者が所望の時間に所望の機能を有するＯＳＤを自動ポップアップするディスプレイ装置を提供する。【解決手段】  ディスプレイ部と前記ディスプレイ部との間に収容空間を形成する後方カバーを含むディスプレイ本体と前記ディスプレイ本体を支持する支持部とを含むディスプレイ装置において、ディスプレイ情報の伝達を受けて前記ディスプレイ部に表示するディスプレイ処理部と、使用者が所望の機能を実現する実行部が備えられたポップアップウィンドウのポップアップ時間を指定する入力部と、時間を測定して前記入力部から伝達を受けた前記ポップアップ時間であることを知らせるタイマーと、前記タイマーから前記ポップアップ時間であることを知らせる信号の伝達を受けた時、前記ポップアップウィンドウが前記ディスプレイ部に表示されるように前記ディスプレイ処理部をコントロールする制御部とを含む。【選択図】      図１
2005025166.tif 000002
【特許請求の範囲】
【請求項１】
ディスプレイ部と前記ディスプレイ部との間に収容空間を形成する後方カバーを含むディスプレイ本体と前記ディスプレイ本体を支持する支持部とを含むディスプレイ装置において、
ディスプレイ情報の伝達を受けて前記ディスプレイ部に表示するディスプレイ処理部と、
使用者が所望の機能を実現する実行部が備えられたポップアップウィンドウのポップアップ時間を指定する入力部と、
時間を測定して前記入力部から伝達を受けた前記ポップアップ時間であることを知らせるタイマーと、
前記タイマーから前記ポップアップ時間であることを知らせる信号の伝達を受けた時、前記ポップアップウィンドウが前記ディスプレイ部に表示されるように前記ディスプレイ処理部をコントロールする制御部とを含むことを特徴とするディスプレイ装置。
【請求項２】
前記実行部は使用者が指定したプログラムが前記ディスプレイ部の一部分に表示されるようにするＰＩＰ実行部であることを特徴とする請求項１に記載のディスプレイ装置。
【請求項３】
前記入力部を通じてＰＩＰ実行変数値をさらに指定することができ、
前記入力部から伝達を受けた前記ＰＩＰ実行変数値を保存するメモリをさらに含み、
前記制御部は使用者が前記ＰＩＰ実行部を選択した時、前記メモリに保存された前記ＰＩＰ実行変数値によって前記ディスプレイ部にＰＩＰが表示されるように前記ディスプレイ処理部をコントロールすることを特徴とする請求項２に記載のディスプレイ装置。
【請求項４】
前記ポップアップウィンドウには使用者が指定したプログラムが全体画面に表示されるようにする全体画面実行部がさらに備えられており、
前記制御部は使用者が前記全体画面実行部を選択した時、前記ディスプレイ部に使用者が指定したプログラムが全体画面に表示されるように前記ディスプレイ処理部をコントロールすることを特徴とする請求項２又は３に記載のディスプレイ装置。
【請求項５】
前記ＰＩＰ実行変数値は前記ＰＩＰの位置と大きさと透明度を含むことを特徴とする請求項３に記載のディスプレイ装置。
【請求項６】
前記ＰＩＰ実行変数値はＰＩＰ実行のオンオフをさらに含むことを特徴とする請求項３に記載のディスプレイ装置。
【請求項７】
ディスプレイ部と前記ディスプレイ部との間に収容空間を形成する後方カバーを含むディスプレイ本体と前記ディスプレイ本体を支持する支持部とを含むディスプレイ装置の制御方法において、
使用者が所望の機能を実現する実行部が備えられたポップアップウィンドウのポップアップ時間を指定する段階と、
時間を測定する段階と、
測定された時間と前記指定されたポップアップ時間が一致するか判断する段階と、
一致する場合、前記ポップアップウィンドウを表示する段階とを含むことを特徴とするディスプレイ装置の制御方法。
【請求項８】
前記実行部は使用者が指定したプログラムが前記ディスプレイ部の一部分に表示されるようにするＰＩＰ実行部であることを特徴とする請求項７に記載のディスプレイ装置の制御方法。
【請求項９】
ポップアップ時間を指定した後、ＰＩＰ実行変数値を指定する段階と、
指定されたＰＩＰ実行変数値を保存する段階とをさらに含み、
使用者が前記ＰＩＰ実行部を選択した時、保存された前記ＰＩＰ実行変数値によって前記ディスプレイ部にＰＩＰを表示する段階をさらに含むことを特徴とする請求項８に記載のディスプレイ装置の制御方法。
【請求項１０】
前記ポップアップウィンドウには使用者が指定したプログラムが全体画面に表示されるようにする全体画面実行部がさらに備えられており、
使用者が前記全体画面実行部を選択した時、前記ディスプレイ部に使用者が指定したプログラムが全体画面に表示される段階をさらに含むことを特徴とする請求項８又は９に記載のディスプレイ装置の制御方法。
【請求項１１】
前記ＰＩＰ実行変数値は前記ＰＩＰの位置と大きさと透明度を含むことを特徴とする請求項９に記載のディスプレイ装置の制御方法。
【請求項１２】
前記ＰＩＰ実行変数値は前記ＰＩＰ実行のオンオフをさらに含むことを特徴とする請求項９に記載のディスプレイ装置の制御方法。
【発明の詳細な説明】
【技術分野】
【０００１】
本発明はディスプレイ装置及びその制御方法に関し、より詳しくは、使用者が所望の時間に所望の機能を有するＯＳＤを自動ポップアップするディスプレイ装置及びその制御方法に関するものである。
【背景技術】
【０００２】
ＯＳＤとは、使用者が知らなければならないか、必要とする情報を別途の映像信号入力なくモニターが自体的に画面上に表示する機能を指すもので、一般にモニターで提供する各種設定項目と関係された操作と画面表示を通称する。
【０００３】
一般に必要な項目設定のためには使用者の直接操作が必要であるが、例えばＰＩＰ機能を有するディスプレイ装置において、文書作業中に特定のＴＶプログラムをＰＩＰ機能を利用して視聴しようとすれば、ＴＶプログラム放映時間に合せて使用者が直接ＰＩＰ機能を実行しなければならなかった。
【発明の開示】
【発明が解決しようとする課題】
【０００４】
本発明の目的は、使用者が所望の時間に所望の機能を有するＯＳＤを自動ポップアップするディスプレイ装置を提供することにある。
【課題を解決するための手段】
【０００５】
上記目的は、ディスプレイ部と前記ディスプレイ部との間に収容空間を形成する後方カバーを含むディスプレイ本体と前記ディスプレイ本体を支持する支持部とを含むディスプレイ装置において、ディスプレイ情報の伝達を受けて前記ディスプレイ部に表示するディスプレイ処理部と、使用者が所望の機能を実現する実行部が備えられたポップアップウィンドウのポップアップ時間を指定する入力部と、時間を測定して前記入力部から伝達を受けた前記ポップアップ時間であることを知らせるタイマーと、前記タイマーから前記ポップアップ時間であることを知らせる信号の伝達を受けた時、前記ポップアップウィンドウが前記ディスプレイ部に表示されるように前記ディスプレイ処理部をコントロールする制御部とを含むことを特徴とするディスプレイ装置によって達成される。
【０００６】
前記実行部は使用者が指定したプログラムが前記ディスプレイ部の一部分に表示されるようにするＰＩＰ実行部であることが好ましい。
【０００７】
そして、前記ディスプレイ装置は、前記入力部を通じてＰＩＰ実行変数値をさらに指定することができ、前記入力部から伝達を受けた前記ＰＩＰ実行変数値を保存するメモリをさらに含み、前記制御部は使用者が前記ＰＩＰ実行部を選択した時、前記メモリに保存された前記ＰＩＰ実行変数値によって前記ディスプレイ部にＰＩＰが表示されるように前記ディスプレイ処理部をコントロールすることが好ましい。
【０００８】
また、前記ポップアップウィンドウには使用者が指定したプログラムが全体画面に表示されるようにする全体画面実行部がさらに備えられており、前記制御部は使用者が前記全体画面実行部を選択した時、前記ディスプレイ部に使用者が指定したプログラムが全体画面に表示されるように前記ディスプレイ処理部をコントロールすることが好ましい。
【０００９】
前記ＰＩＰ実行変数値は前記ＰＩＰの位置と大きさと透明度を含むことが好ましい。そして、前記ＰＩＰ実行変数値はＰＩＰ実行のオンオフをさらに含むことが好ましい。
【００１０】
一方、本発明の他の分野によると上記目的は、ディスプレイ部と前記ディスプレイ部との間に収容空間を形成する後方カバーを含むディスプレイ本体と前記ディスプレイ本体を支持する支持部とを含むディスプレイ装置の制御方法において、使用者が所望の機能を実現する実行部が備えられたポップアップウィンドウのポップアップ時間を指定する段階と、時間を測定する段階と、測定された時間と前記指定されたポップアップ時間が一致するか判断する段階と、一致する場合、前記ポップアップウィンドウを表示する段階とを含むことを特徴とするディスプレイ装置の制御方法によって達成される。
【００１１】
前記実行部は使用者が指定したプログラムが前記ディスプレイ部の一部分に表示されるようにするＰＩＰ実行部であることが好ましい。
【００１２】
そして、ポップアップ時間を指定した後、ＰＩＰ実行変数値を指定する段階と、指定されたＰＩＰ実行変数値を保存する段階とをさらに含み、使用者が前記ＰＩＰ実行部を選択した時、保存された前記ＰＩＰ実行変数値によって前記ディスプレイ部にＰＩＰを表示する段階をさらに含むことが好ましい。
【００１３】
また、前記ポップアップウィンドウには使用者が指定したプログラムが全体画面に表示されるようにする全体画面実行部がさらに備えられており、使用者が前記全体画面実行部を選択した時、前記ディスプレイ部に使用者が指定したプログラムが全体画面に表示される段階をさらに含むことが好ましい。
【００１４】
前記ＰＩＰ実行変数値は前記ＰＩＰの位置と大きさと透明度を含むことが好ましい。そして、前記ＰＩＰ実行変数値は前記ＰＩＰ実行のオンオフをさらに含むことが好ましい。
【発明の効果】
【００１５】
本発明によると、使用者が所望の時間に所望の機能を有するＯＳＤを自動ポップアップするディスプレイ装置及びその制御方法が提供される。
【発明を実施するための最良の形態】
【００１６】
以下、添付図面を参照して本発明の実施例を説明する。
【００１７】
図１に示されているように、本発明は入力部１１とタイマー１５と制御部１７とディスプレイ処理部１９とディスプレイ部２１とを含む。
【００１８】
入力部１１は使用者が指定した時間を使用者が所望の機能を実現する実行部が備えられたポップアップウィンドウのポップアップ時間でタイマー１５に伝達する。
【００１９】
タイマー１５は時間を測定して現在時間が入力部１１から伝達を受けたポップアップ時間である場合、制御部１７に伝達する。
【００２０】
制御部１７はタイマー１５から前記ポップアップ時間であることを知らせる信号の伝達を受けた時、前記ポップアップウィンドウに対する信号を前記ディスプレイ処理部１９に送る。
【００２１】
ディスプレイ処理部１９はディスプレイ情報の伝達を受けてディスプレイ部２１に表示するが、制御部１７からポップアップウィンドウに対する信号の伝達を受けた時、ディスプレイ部２１に使用者が所望の機能を実現する実行部が備えられたポップアップウィンドウを表示する。
【００２２】
使用者が所望の機能がＰＩＰ機能である場合、使用者は所望の時間にＰＩＰ実行部が備えられたポップアップウィンドウがディスプレイ部２１に表示されるように自動ポップアップ時間を設定する。
【００２３】
ＰＩＰ（ピクチャインピクチャ）機能とは、画面の中にまた画面があるという意味で、２種類の入力信号を同時に見ることができる機能である。ＰＩＰ機能を有するＴＶのような場合、一つの画面で２種類のチャンネルを同時に表示する機能を意味し、一般にＰＣだけでなくＴＶやビデオのような他のソース（ｓｏｕｒｃｅ）を表示することができるモニターでは、アナログＰＣまたはデジタルＰＣのようなＰＣ系列をメーン画面としておいたまま、ＴＶ、ビデオ、Ｓ−ビデオ、コンポーネントのようなビデオ系列をサブ画面で表示したり、反対にビデオ系列をメーン画面としておいたまま、ＰＣ系列をサブ画面で表示する現象をいう。
【００２４】
図２Ａに示されているように、使用者はＰＩＰ実行のために入力部１１を通じてＰＩＰ実行変数を指定することができ、ＰＩＰ実行変数としてはＰＩＰオンオフとＰＩＰサイズとＰＩＰポジションとＰＩＰ透明度を含む。
【００２５】
ＰＩＰオンオフはＰＩＰ実行機能がオン状態であるかオフ状態であるかを示し、ＰＩＰサイズとＰＩＰポジションは各々メーン画面に表示されるサブ画面の大きさとメーン画面に表示されるサブ画面の位置を意味する。そして、ＰＩＰ透明度はサブ画面がメーン画面をベースにして透明に表示される透明状態、またはサブ画面が表示される所はメーン画面がサブ画面によって隠されて表示されない不透明状態を意味する。使用者によって指定されたＰＩＰ実行変数値はメモリ１３に保存される。
【００２６】
図２Ｂに示されているように、使用者は所望の時間にＰＩＰ実行部が備えられたポップアップウィンドウがディスプレイ部２１に表示されるように自動ポップアップ時間を設定することができる。
【００２７】
ａｍ/ｐｍ、Ｈｏｕｒ、Ｍｉｎは各々自動ポップアップが午前又は午後何時何分にディスプレイ部２１に表示されるかを示す。
【００２８】
そして、図２Ｃに示されているように、使用者が自動ポップアップ時間を設定すると、指定された時間にＰＩＰ実行部と全体画面実行部を含んだポップアップウィンドウがディスプレイ部２１に表示される。
【００２９】
ＰＩＰはＰＩＰ実行部を示し、使用者がＰＩＰ実行部を選択した場合、制御部１７はメモリ１３に保存されたＰＩＰ実行変数値によってディスプレイ部２１にＰＩＰが表示されるようにディスプレイ処理部１９をコントロールする。
【００３０】
Ｆｕｌｌは全体画面実行部を示し、使用者がＦｕｌｌを選択した場合、制御部１７はディスプレイ部２１に使用者が指定したプログラムが全体画面に表示されるようにディスプレイ処理部１９をコントロールする。
【００３１】
そして、ＣａｎｃｅｌはＰＩＰ機能実行の取消を示す。
【００３２】
ディスプレイ処理部１９によるＰＩＰ機能実現は図３に示された通りである。
【００３３】
ディスプレイ処理部１９はマルチプレクサー１９１とメーンソースキャプチャーバッファー１９３とサブソースキャプチャーバッファー１９５とピクセルドロップ部１９６とフレームメモリ１９７とＰＩＰオーバーレイ部１９９とを含む。
【００３４】
マルチプレクサー１９１は２種類の入力信号の伝達を受けてディスプレイ部２１のメーン画面データになるメーンインプットとディスプレイ部２１のサブ画面データになるサブインプットを各々メーンソースキャプチャーバッファー１９３とサブソースキャプチャーバッファー１９５に伝達する。
【００３５】
メーンソースキャプチャーバッファー１９３は伝達を受けたメーンインプット信号をキャプチャーしてＰＩＰオーバーレイ部１９９に伝達し、サブソースキャプチャーバッファー１９５は伝達を受けた前記サブインプット信号をキャプチャーしてピクセルドロップ部１９６に伝達する。
【００３６】
そして、ピクセルドロップ部１９６はサブ画面データがディスプレイ部２１の一部分に表示される小さいイメージになるようにピクセル数を落とした後、フレームメモリ１９７に伝達する。
【００３７】
フレームメモリ１９７は一つの画面のデータを臨時保存するメモリとして、主にＳＲＡＭを使用する。そして、前記メーンインプット信号がＰＩＰオーバーレイ部１９９に伝達されるクロック数を基準にして前記サブインプット信号をＰＩＰオーバーレイ部１９９に伝達する。
【００３８】
ＰＩＰオーバーレイ部１９９は伝達を受けた前記メーンインプット信号と前記サブインプット信号を総合してディスプレイ部２１に伝達し、ディスプレイ部２１にはＰＩＰが実現される。
【００３９】
以下、図４を参照して本発明の制御の流れを説明する。
【００４０】
使用者は使用者が所望の機能を実現する実行部が備えられたポップアップウィンドウのポップアップ時間を入力する（Ｓ１１）。そして、使用者が所望の機能がＰＩＰ機能である場合、入力部１１を通じてＰＩＰ位置と大きさと透明度とＰＩＰオンオフを含むＰＩＰ実行変数値をさらに指定する（Ｓ１３）。
【００４１】
タイマー１５は時間を測定して（Ｓ１５）入力部１１から伝達を受けた前記ポップアップ時間が測定した時間と一致しているか判断する（Ｓ２１）。
【００４２】
前記ポップアップ時間とタイマー１５が測定した時間が一致する場合、タイマー１５は制御部１７に前記ポップアップ時間であることを知らせる信号を伝達する。そして、ディスプレイ部２１には制御部１７がコントロールするディスプレイ処理部１９によって使用者が所望の機能を実現する実行部が備えられたポップアップウィンドウが表示される（Ｓ２３）。
【００４３】
使用者が所望の機能がＰＩＰ機能である場合、前記ポップアップウィンドウには前記ＰＩＰ実行部と前記全体画面実行部が備えられる。使用者が前記ＰＩＰ実行部を選択した場合（Ｓ３１）、ディスプレイ部２１には制御部１７がコントロールするディスプレイ処理部１９によってＰＩＰが表示される（Ｓ３７）。そして、使用者が前記全体画面実行部を選択した場合（Ｓ３３）、ディスプレイ部２１には制御部１７がコントロールするディスプレイ処理部１９によって使用者が指定したプログラムが表示される（Ｓ３９）。使用者はＰＩＰ機能実行を取消すこともできる（Ｓ３５）。
【００４４】
以上説明したものは本発明の一実施例に過ぎない。そして、使用者が所望の機能は二つの画面が互いに重ならないで画面が接しているＰＢＰ（ピクチャバイピクチャ）または他の機能で本発明を構成することもできる。
【図面の簡単な説明】
【００４５】
【図１】本発明の一実施例によるディスプレイ装置の制御ブロックである。
【図２Ａ】図１のタイマー設定のためのメニューを含んだＰＩＰ設定画面を示す図である。
【図２Ｂ】図２ＡのタイマーメニューのＯＳＤ自動ポップアップ時間設定画面を示す図である。
【図２Ｃ】図２Ｂの画面を通じて設定されたポップアップ時間にＯＳＤ自動ポップアップウィンドウが画面に表示されたものである。
【図３】図１のディスプレイ処理部の制御ブロックの一実施例である。
【図４】図１のディスプレイ装置の制御の流れを示すフローチャートである。
【符号の説明】
【００４６】
１１  入力部
１５  タイマー
１７  制御部
１９  ディスプレイ処理部
２１  ディスプレイ部
【図１】
2005025166.tif 000003
【図２Ａ】
2005025166.tif 000004
【図２Ｂ】
2005025166.tif 000005
【図２Ｃ】
2005025166.tif 000006
【図３】
2005025166.tif 000007
【図４】
2005025166.tif 000008